(57)【要約】【課題】医用デジタル画像等を表示可能な情報処理装置において、各種表示制御機能の選択や設定を迅速にかつ高い操作性で実現することができる情報処理装置を提供する。【解決手段】本発明に係る情報処理装置は、表示装置を具備する情報処理装置において、設定可能な任意の複数の表示制御機能を予め登録する表示制御機能登録手段と、表示制御機能に対応づけて表示領域を複数の指定区域に分割する領域分割手段と、表示領域に表示されるポインタを前記指定区域に移動させたときに、指定区域に対応付けられた前記表示制御機能を有効とする表示制御機能有効手段と、前記表示制御機能が有効となったことを表示する有効機能表示手段と、指定区域に対応付けられた表示制御機能が有効となった後ポインタが指定区域内にある状態において、ポインティングデバイスを操作することによって表示制御機能を実行させる表示制御機能実行手段と、を備えたことを特徴とする。【選択図】  図２
2008090101.tif 000002
【特許請求の範囲】
【請求項１】
表示装置を具備する情報処理装置において、
設定可能な任意の複数の表示制御機能を予め登録する表示制御機能登録手段と、
登録された前記複数の表示制御機能に対応付けて、前記表示装置の表示領域を複数の指定区域に分割する領域分割手段と、
所定のポインティングデバイスを用いて前記表示領域に表示されるポインタを前記指定区域に移動させたときに、前記指定区域に対応付けられた前記表示制御機能を有効とする表示制御機能有効手段と、
前記表示制御機能が有効となったことを表示する有効機能表示手段と、
前記表示制御機能が有効となった後前記ポインタが前記指定区域内にある状態において、前記ポインティングデバイスの操作によって前記表示制御機能を実行させる表示制御機能実行手段と、
を備えたことを特徴とする情報処理装置。
【請求項２】
前記有効機能表示手段は、
前記ポインタの形状を、前記表示制御機能が有効となる前の形状から前記表示制御機能を示唆する他の形状に変更することによって、前記表示制御機能が有効となったことを表示する、
ことを特徴とする請求項１に記載の情報処理装置。
【請求項３】
前記ポインティングデバイスは、マウスであり、
前記表示制御機能実行手段は、前記マウスのドラッグ操作によって前記表示制御機能を実行する、
ことを特徴とする請求項１に記載の情報処理装置。
【請求項４】
前記ポインティングデバイスは、マウスであり、
前記マウスのダブルクリック操作により、前記表示制御機能が有効でない通常の状態と、前記表示制御機能が有効となる状態とを互いに切換えることができる、
ことを特徴とする請求項１に記載の情報処理装置。
【請求項５】
前記領域分割手段は、前記表示領域を分割する前記指定区域の境界を表示する手段をさらに備える、
ことを特徴とする請求項１に記載の情報処理装置。
【請求項６】
表示装置を具備する情報処理装置の画像表示制御方法において、
設定可能な任意の複数の表示制御機能を予め登録する表示制御機能登録ステップと、
登録された前記複数の表示制御機能に対応付けて、前記表示装置の表示領域を複数の指定区域に分割する領域分割ステップと、
所定のポインティングデバイスを用いて前記表示領域に表示されるポインタを前記指定区域に移動させたときに、前記指定区域に対応付けられた前記表示制御機能を有効とする表示制御機能有効ステップと、
前記表示制御機能が有効となったことを表示する有効機能表示ステップと、
前記表示制御機能が有効となった後前記ポインタが前記指定区域内にある状態において、前記ポインティングデバイスの操作によって前記表示制御機能を実行させる表示制御機能実行ステップと、
を備えたことを特徴とする情報処理装置の画像表示制御方法。
【請求項７】
表示装置を具備する情報処理装置の画像表示制御プログラムにおいて、
設定可能な任意の複数の表示制御機能を予め登録する表示制御機能登録ステップと、
登録された前記複数の表示制御機能に対応付けて、前記表示装置の表示領域を複数の指定区域に分割する領域分割ステップと、
所定のポインティングデバイスを用いて前記表示領域に表示されるポインタを前記指定区域に移動させたときに、前記指定区域に対応付けられた前記表示制御機能を有効とする表示制御機能有効ステップと、
前記表示制御機能が有効となったことを表示する有効機能表示ステップと、
前記表示制御機能が有効となった後前記ポインタが前記指定区域内にある状態において、前記ポインティングデバイスの操作によって前記表示制御機能を実行させる表示制御機能実行ステップと、
をコンピュータに実行させることを特徴とする情報処理装置の画像表示制御プログラム。
【発明の詳細な説明】
【技術分野】
【０００１】
本発明は、情報処理装置、その画像表示制御方法、及びその画像表示制御プログラムに係り、特に、各種画像をディスプレイ上に表示させる情報処理装置、その画像表示制御方法、及びその画像表示制御プログラムに関する。
【背景技術】
【０００２】
Ｘ線診断装置、超音波診断装置、ＭＲＩ診断装置等の各種医療診断装置で撮像された画像の多くはデジタル化されてきている。これらの医用デジタル画像を、例えば、ＬＡＮ等のネットワークを介して汎用のパーソナルコンピュータ等の情報処理装置に出力し、パーソナルコンピュータ等が具備する表示装置に表示することで、迅速で効率のより診断が可能となってきている。
【０００３】
医用デジタル画像には、一般に、ＤＩＣＯＭ（Digital  Imaging  and  Communication  in  Medicine）規格が適用されることが多い。ＤＩＣＯＭ規格は、静止画や動画の画像データに関する規定に加えて、各種の付帯情報に関する規定も含まれている。付帯情報としては、例えば、特許文献１等に開示されているように、撮影された患者の氏名、年齢、性別等の患者に関する患者情報、撮影日、撮影部位、撮影条件、撮影装置等の撮影情報、画像の画素数、ビット数、画素サイズ等の画像情報等が含まれている。
【０００４】
各種医療診断装置から出力された医用デジタル画像は、一旦情報処理装置が具備するＨＤＤ（Hard  Disk  Drive）等の記憶装置に保存され、保存された医用デジタル画像を情報処理装置の表示装置に再生・表示することで医師の診断等に供される。また、各種医療診断装置から出力される医用デジタル画像をリアルタイムで表示装置に表示させ、実時間で診断を行う場合もある。
【特許文献１】特開２００５−１０３０５５号公報
【発明の開示】
【発明が解決しようとする課題】
【０００５】
近時、医用デジタル画像の高解像度化、カラー化、３次元化、動画化等の技術は著しく進捗してきている。これに伴って、高解像度で撮像された医用デジタル画像の一部を拡大し、患部を詳細に診断したり、３次元画像を任意の方向から観察したり、或いは動画の再生速度を低速度に設定し細かな患部の動きを観察したりするといった多様な表示制御機能の実現が可能となり、医用デジタル画像による高度で信頼性の高い診断ができるようになってきた。
【０００６】
他方、医用デジタル画像の表示制御機能が高度化し多様化するにつれて、所望する表示制御機能を選択し設定するための操作の種類も増え、また操作内容も複雑となってきている。
【０００７】
従来から用いられている表示制御機能の選択、設定方法として、コマンドバーやサブウィンドウを用いる方法がある。例えば、表示画像を拡大或いは縮小しようとする場合、まずコマンドバーの中にある「拡大・縮小」ボタンをマウス等でクリックして、拡大・縮小用の矢印やスライドバーが表示されるサブウィンドウを表示させ、その後、矢印やスライドバーをクリックし、或いはドラッグすることで表示画像の拡大や縮小を行っている。
【０００８】
また、表示中の動画の再生速度を変更しようとする場合には、例えば、コマンドバーの中にある「再生速度」ボタンをクリックしてスライドバーを表示させ、このスライドバーをドラッグして再生速度を変更する方法がとられている。
【０００９】
このように、表示制御機能を選択し設定するためには、２段階、３段階の操作が必要であり、医師等が医用デジタル画像を見て診断等を行う際に、画像への集中を妨げる阻害要因となっている。
【００１０】
また、医用デジタル画像を医師等が詳細に観察しようとする場合、コマンドバーやサブウィンドウが表示されている通常の表示モードから、全画面モードに切換えて観察する場合も多い。全画面モードでは、ディスプレイの全範囲に医用デジタル画像のみが表示されるため、コマンドバーやサブウィンドウによって画像の一部が遮られることがなく、患者画像の全体観察に適している。しかしながら、全画面モードにはコマンドバーやサブウィンドウが表示されてないため、拡大、縮小等の表示制御機能を有効化して表示方法を変更しようとする場合には、一旦通常モードに戻してコマンドバー等を表示画面の中に表示させ、その後に表示制御機能の設定・変更のための操作を行わなければならず、さらに操作負担が増えることになる。
【００１１】
また、特定の医師等が日常使用する表示制御機能の種類は一般に限られており、総ての表示制御機能を満遍なく使用することはむしろ稀である。逆に、装置が保有する総ての表示制御機能を自由に選択可能な形態にすると、操作上の邪魔になるだけでなく、不用意な誤操作の原因ともなりうる。
【００１２】
本発明は、上記事情に鑑みてなされたものであり、医用デジタル画像等を表示可能な情報処理装置において、各種表示制御機能の選択や設定を迅速にかつ高い操作性で実現することができる情報処理装置、その画像表示制御方法、及びその画像表示制御プログラムを提供することを目的とする。
【課題を解決するための手段】
【００１３】
上記課題を解決するため、本発明に係る情報処理装置は、請求項１に記載したように、表示装置を具備する情報処理装置において、設定可能な任意の複数の表示制御機能を予め登録する表示制御機能登録手段と、登録された前記複数の表示制御機能に対応付けて、前記表示装置の表示領域を複数の指定区域に分割する領域分割手段と、所定のポインティングデバイスを用いて前記表示領域に表示されるポインタを前記指定区域に移動させたときに、前記指定区域に対応付けられた前記表示制御機能を有効とする表示制御機能有効手段と、前記表示制御機能が有効となったことを表示する有効機能表示手段と、前記表示制御機能が有効となった後前記ポインタが前記指定区域内にある状態において、前記ポインティングデバイスの操作によって前記表示制御機能を実行させる表示制御機能実行手段と、を備えたことを特徴とする。
【００１４】
また、上記課題を解決するため、本発明に係る情報処理装置の画像表示制御方法は、請求項６に記載したように、表示装置を具備する情報処理装置の画像表示制御方法において、設定可能な任意の複数の表示制御機能を予め登録する表示制御機能登録ステップと、登録された前記複数の表示制御機能に対応付けて、前記表示装置の表示領域を複数の指定区域に分割する領域分割ステップと、所定のポインティングデバイスを用いて前記表示領域に表示されるポインタを前記指定区域に移動させたときに、前記指定区域に対応付けられた前記表示制御機能を有効とする表示制御機能有効ステップと、前記表示制御機能が有効となったことを表示する有効機能表示ステップと、前記表示制御機能が有効となった後前記ポインタが前記指定区域内にある状態において、前記ポインティングデバイスの操作によって前記表示制御機能を実行させる表示制御機能実行ステップと、を備えたことを特徴とする。
【００１５】
また、上記課題を解決するため、本発明に係る情報処理装置の画像表示制御プログラムは、請求項７に記載したように、表示装置を具備する情報処理装置の画像表示制御プログラムにおいて、設定可能な任意の複数の表示制御機能を予め登録する表示制御機能登録ステップと、登録された前記複数の表示制御機能に対応付けて、前記表示装置の表示領域を複数の指定区域に分割する領域分割ステップと、所定のポインティングデバイスを用いて前記表示領域に表示されるポインタを前記指定区域に移動させたときに、前記指定区域に対応付けられた前記表示制御機能を有効とする表示制御機能有効ステップと、前記表示制御機能が有効となったことを表示する有効機能表示ステップと、前記表示制御機能が有効となった後前記ポインタが前記指定区域内にある状態において、前記ポインティングデバイスの操作によって前記表示制御機能を実行させる表示制御機能実行ステップと、をコンピュータに実行させることを特徴とする。
【発明の効果】
【００１６】
本発明に係る情報処理装置、その画像表示制御方法、及びその画像表示制御プログラムによれば、医用デジタル画像等を表示可能な情報処理装置において、各種表示制御機能の選択や設定を迅速にかつ高い操作性で実現することができる。
【発明を実施するための最良の形態】
【００１７】
本発明に係る情報処理装置、その画像表示制御方法、及びその画像表示制御プログラムの一実施形態について、添付図面を参照して説明する。
【００１８】
（１）構成
図１は、本実施形態に係る情報処理装置１のシステム構成例、及び情報処理装置１に接続される外部装置の一例を示す図である。
【００１９】
情報処理装置１には、ＬＡＮ（Local  Area  Network）等の電気通信回線２００を介して、例えば各種の医用診断装置１００が接続される。医用診断装置１００としては、例えば、Ｘ線診断装置１０１、超音波診断装置１０２、ＣＴ（Computed  Tomography）診断装置１０３、ＭＲＩ（Magnetic  Resonance  Imaging）診断装置１０４等がある。
【００２０】
これらの医用診断装置１００では、患者の身体等を多様な形態で撮影し、各種の医用デジタル画像が生成される。生成された医用デジタル画像は、付帯情報と共に電気通信回線２００を介して情報処理装置１に送信される。
【００２１】
医用デジタル画像は、前述したように一般にＤＩＣＯＭ規格と呼ばれる国際規格に基づいて生成されており、医用診断装置１００の種類やメーカが異なる場合でもデータの互換性が確保できるようになっている。ＤＩＣＯＭ規格では、静止画や動画の画像データに関する規定に加えて、各種の付帯情報に関する規定も含まれており、例えば、撮影された患者の氏名、年齢、性別等の患者に関する患者情報、撮影日、撮影部位、撮影条件、撮影装置等の撮影情報、画像の画素数、ビット数、画素サイズ等の画像情報等が画像データと共に情報処理装置１に送られてくる。
【００２２】
情報処理装置１は、図１に示したように、例えば、ＣＰＵ１０、表示装置１１、ポインティングデバイス１２、通信Ｉ／Ｆ１３、ＲＡＭ１４、ＲＯＭ１５、ＨＤＤ（Hard  Disk  Drive）装置１６等を備えて構成されている。
【００２３】
情報処理装置１のハードウェア構成は、本実施形態では特に限定するものではなく、例えば、パーソナルコンピュータ等でもよい。
【００２４】
医用診断装置１００から送信されてくる医用デジタル画像は、付帯情報と共に通信Ｉ／Ｆ１３を介して情報処理装置１に入力され、ＨＤＤ１６等の記憶装置に保存される。ＨＤＤ１６等に保存された医用デジタル画像は、後述する各種の表示制御機能に基づいて表示装置１１の表示画面に表示される。
【００２５】
また、医用診断装置１００から送信される医用デジタル画像は、ＨＤＤ１６等の記憶装置への保存と並行して、或いは保存することなく、ほぼ実時間で表示装置１１へ表示させる形態としてもよい。
【００２６】
表示装置１１は、例えば、ＣＲＴ、液晶表示パネル、プラズマ表示パネル等の表示デバイスを備えて構成されるものであり、医用デジタル画像や各種文字情報やグラフィック情報をその表示画面に表示させる。
【００２７】
ポインティングデバイス１２は、例えばマウスやタッチパッド等のデバイスであり、表示装置１１の表示画面の中に表示されるポインタを移動させたり、クリック、ダブルクリック、ドラッグ等の操作を行うことにより情報処理装置１に対して各種の制御指示を行ったりするデバイスである。
【００２８】
ＣＰＵ１０は、ＲＯＭ１５やＨＤＤ１６に記憶されているＯＳや各種のアプリケーションソフトウェア（プログラム）をＲＡＭ１４にロードし、実行する。また、ＲＡＭ１４は、ＣＰＵ１０のワークエリアとしても機能する。
【００２９】
本実施形態に係る情報処理装置１では、医用デジタル画像等の画像データを表示装置１１に表示するときに、画像の拡大・縮小、回転、移動、明度調整、コントラスト調整、動画の再生速度調整、画像切換等の各種表示制御機能を実現するが、これらの機能は、例えは、ＨＤＤ１６に記憶される表示制御プログラムをＣＰＵ１０に実行させることによって実現される。
【００３０】
図２は、情報処理装置１が具備するこれらの表示制御機能を複数の機能実現手段として記述した機能ブロック図である。
【００３１】
情報処理装置１は、設定可能な任意の複数の表示制御機能を予め登録する表示制御機能登録手段２１と、登録された複数の表示制御機能に対応づけて、表示装置１１の表示領域を複数の指定区域に分割する領域分割手段２２とを初期登録手段２０として有している。
【００３２】
また、情報処理装置１は、表示領域に表示されるポインタをマウス等のポインティングデバイス１２を用いて前記の指定区域に移動させたときに、その指定区域に対応付けられた表示制御機能を有効とする表示制御機能有効手段３０、表示制御機能有効手段３０によって表示制御機能が有効となったことを表示する有効機能表示手段４０、指定区域に対応付けられた表示制御機能が有効となった後ポインタが前記指定区域内にある状態において、前記ポインティングデバイスの操作によって、表示制御機能を実行させる表示制御機能実行手段５０等の機能実現手段を備えている。
【００３３】
（２）動作
上記のように構成された情報処理装置１の動作、特に、医用デジタル画像等の画像データの表示制御に関する動作について、以下に説明する。
【００３４】
図３は、初期登録手段２０で行なわれる機能を実現するための処理手順の一例を示すフローチャートである。
【００３５】
まず、ステップＳＴ１で、情報処理装置１の表示装置１１に、表示制御機能の登録画面（図示せず）を表示させる。ここで、表示制御機能とは、画像データに対する右回転や左回転等の「回転」、上下左右方向への「移動」、画像データの表示サイズの「拡大・縮小」、画像データの「明度」や「コントラスト」の調整、複数の画像を表示可能なときに各画像を切り換えて表示させる画像切換制御、画像データが動画の場合における動画の再生速度の調整等、表示画像に対する各種の操作や調整を行うための制御機能のことである。
【００３６】
本実施形態では、図３のステップＳＴ１乃至ステップＳＴ３の手順により、情報処理装置１が具備するこれらの各種表示制御機能の中から、ユーザが所望する機能の数や種類を予めユーザに選択させ、情報処理装置１に登録している。これらの手順は、図１の表示制御機能登録手段２１によって実現されるものである。
【００３７】
例えば、ステップＳＴ１では、情報処理装置１が具備する総ての表示制御機能を、各機能毎にチェックボックスと共に表示装置１１に表示させ、ユーザに対して登録を促す。
【００３８】
ステップＳＴ２にて、ユーザは所望する表示制御機能のチェックボックスをクリックすることにより、表示制御機能の数や種類を選択する。
【００３９】
選択された表示制御機能は、例えは所定の「登録」ボタン（図示せず）をクリックすることにより、情報処理装置１に登録される（ステップＳＴ３）。
【００４０】
医師等のユーザが、医用デジタル画像等に対して行う操作や調整の数や種類は、通常ある範囲に限定されていることが多い。これに対して、近時の情報処理装置１では、非常に多種類の表示制御が可能となっており、総ての表示制御機能を常に実現させようとすると、かえって操作が煩雑になり、また不用意な誤操作の誘因ともなる。
【００４１】
本実施形態では、予め必要な表示制御機能を選択、登録することができるため、操作が簡素化され、また、誤操作を防止することができる。
【００４２】
次に、ステップＳＴ４にて、選択、登録された表示制御機能の数に応じて、表示画面を複数の区域（指定区域）に分割する。さらに、分割した指定区域の夫々に、表示制御機能を割付ける。
【００４３】
選択、登録された表示制御機能の数は特に限定するものではないが、例えば、２〜１２の表示制御機能の数が選択、登録された場合、表示装置１１の表示画面はその数に応じて分割される。
【００４４】
図４（ａ）は、選択、登録された表示制御機能の数が２の場合、図４（ｂ）は、選択、登録された表示制御機能の数が４の場合、また、図４（ｃ）は、選択、登録された表示制御機能の数が１２の場合のときの各指定区域の分割状況を例示する図である。
【００４５】
分割された指定区域には、それぞれ１つの表示制御機能が割り付けられる。例えば、図４（ｂ）の４分割の場合、区域（Ａ）に「移動」機能を割り付け、区域（Ｂ）に「回転」機能を割り付け、区域（Ｃ）に「明度」調整機能を割り付け、区域（Ｄ）に「拡大・縮小」機能を割り付ける。
【００４６】
区域と機能の割り付け関係は、初期登録時にユーザに設定させる形態としてもよいし、初期登録時には自動的に情報処理装置１で割り付け、その後ユーザによって変更できるようにしてもよい。
【００４７】
初期登録を行った後、医用診断装置１００等から送られる医用デジタル画像等の画像データを実際に表示装置１１に表示させ、表示画像に対して選択、登録した表示制御機能を適用していく。
【００４８】
図５は、表示制御機能の適用処理の一例を示すフローチャートである。また、図６は、表示装置１１の表示例を用いて動作を説明する図である。
【００４９】
以下の説明では、表示制御機能が有効となる画面表示モードを便宜上、「表示制御モード」と呼び、表示制御機能が有効となる前の通常の画面表示モードを「通常モード」と呼ぶものとする。
【００５０】
図６（ａ）は、「通常モード」の表示装置１１の表示例を示すものであり、表示画面には、例えば人体の血管等のＸ線診断画像や超音波診断画像が動画として表示されている。
【００５１】
また、表示画面は、表示装置１１の有効画面を最大限に利用するため、コマンドバーやサブウィンドウが表示されない「全画面」表示モードに設定されている。この他、表示画面には、マウス等のポインティングデバイス１２の動きに連動して移動するポインタが表示されており、図６（ａ）の例示では、ポインタの形状は、「通常モード」であることを示す「矢印」形状となっている。
【００５２】
図５のステップＳＴ１１では、「通常モード」から「表示制御機能モード」への移行を行う。移行のための操作は、例えば、マウスの左ボタンを連続クリック（ダブルクリック）することによって行う。この他、例えば、表示画面の隅の一部に小さな移行用のアイコンを表示させ、このアイコンをクリックして「通常モード」から「表示制御機能モード」へ移行させるようにしても良い。
【００５３】
マウスのダブルクリックにより、情報処理装置１は、「通常モード」から「表示制御機能モード」へ移行する（ステップＳＴ１２）。
【００５４】
「表示制御機能モード」へ移行すると、図６（ｂ）に例示したように、初期登録時に選択・登録し、かつ分割された指定区域に割り付けられた表示制御機能が、ポインタの位置に応じて有効（アクティブ）となり、ポインタの形状が変化する。
【００５５】
また、各指定区域をユーザに視認しやすくするため、指定区域の境界線を例えば破線で表示する。この指定区域の境界線は、画像の観察上邪魔になる場合もあるため、ユーザの設定によって表示の有無を切換えられるようにしてもよい。例えば、マウスを右クリックして境界線の表示の有無を選択するメニューを小さく表示させ、ユーザが切換えられるようにすればよい。
【００５６】
この場合、図５のステップＳＴ１３では、境界線の表示の設定の有無を判断し、表示「有」に設定されている場合に限って、ステップＳＴ１４にて境界線を表示させるようにすればよい。
【００５７】
ダブルクリック等によって「表示制御機能モード」に切換えられると、表示制御機能有効手段３０（図１参照）は、切換えられた時点でのポインタの位置が、どの指定区域にあるかを判断し、指定区域に予め対応付けられている表示制御機能を選択し、その表示制御機能を有効とする。
【００５８】
図６（ｂ）の例では、「表示制御機能モード」に切換えられた時のポインタの位置は、区域（Ａ）にある。そこで、表示性機能選択手段３０は、区域（Ａ）に割り付けられている表示制御機能が何れの機能であるのかを判定し、割り付けられている表示制御機能を有効にする。図６は初期登録として４つの表示制御機能を選択、登録している場合の例であり、図４（ｂ）の説明に例示したように、区域（Ａ）には、「移動」機能が割り付けられている。従って、表示制御機能として「移動」機能が有効となる。
【００５９】
さらに、情報処理装置１は、有効機能表示手段４０（図２参照）を具備しており、有効機能表示手段４０は、有効にされた特定の表示制御機能をユーザに対して認知させるための表示を行う。具体的には、例えば、ポインタの形状を「通常モード」を示す「矢印」形状から、有効にされた表示制御機能を示唆する形状に変更する。図６（ｂ）の例では、ポインタの形状を「四方矢印」形状とすることで、「移動」機能が有効となったことをユーザに知らせている。
【００６０】
この状態で、マウスを、区域（Ａ）内において、任意の方向にドラッグ操作（左ボタンを押し続けた状態で移動させる操作）すれば、ドラッグした方向に表示画像を移動させることが可能となる。
【００６１】
他方、表示制御機能を他の表示制御機能に切換える場合には、マウスを単に他の区域に移動させるだけでよい。例えば、図４（ｂ）の例で説明したように、区域（Ｄ）には、「拡大・縮小」機能が割り付けられている。そこで、マウスを区域（Ａ）から区域（Ｄ）へ移動させる（ドラッグではなく）と、「移動」機能に替わって「拡大・縮小」機能が有効となる（図５のステップＳＴ１５）。
【００６２】
また、ポインタの形状は、図６（ｃ）に示したように、「四方矢印」形状から「拡大・縮小」機能を示唆する形状、例えば「拡大鏡」の形状に変更される（ステップＳＴ１６）。このことにより、ユーザは、「拡大・縮小」機能が有効となったことを直ちに認識することができる。
【００６３】
拡大・縮小機能を実際に実行する機能は、表示制御機能実現手段５０（図２参照）によって行われる。「拡大鏡」形状のポインタを下側にドラッグすると図６（ｄ）に示したように表示画像が縮小される。逆に、「拡大鏡」形状のポインタを上側にドラッグする表示画像が拡大されることになる（ステップＳＴ１７）。
【００６４】
ユーザがさらに他の表示制御機能の選択を所望する場合には（ステップＳＴ１８のYes）、ステップＳＴ１５へ戻り、所望の表示制御機能に対応する区域にポインタを移動させ、ステップＳＴ１７までの処理を繰り返せばよい。
【００６５】
他の表示制御機能の選択を所望しない場合には（ステップＳＴ１８のＮｏ）、そのままの状態で表示画像を観察してもよいし、マウスをダブルクリックして「表示制御機能モード」から「通常モード」に戻しても良い（ステップＳＴ１９）。「通常モード」に戻した場合は、「表示制御機能モード」で最後に設定した状態の表示画像が維持されることになる。
【００６６】
なお、マウスのダブルクリックに替えて、前述した移行用のアイコンをクリックして「表示制御機能モード」から「通常モード」に戻す形態としてもよい。いずれの形態でも、マウスのダブルクリック操作や移行用アイコンのクリック操作を繰り返すことにより、「表示制御機能モード」と「通常モード」とを相互に簡便に切換えることが可能である。
【００６７】
なお、図３や図５の示した処理方法の各ステップをプログラム化し、このプログラムをＣＰＵ１０（コンピュータ）に実行させることにより上述した機能を実現できる。
【００６８】
以上説明したように、本実施形態に係る情報処理装置、その画像表示制御方法、及びその画像表示制御プログラムによれば、「移動」、「拡大・縮小」、「回転」等の各種表示制御機能に対応付けられた表示画面の分割区域にポインタを移動させるだけの簡単な操作で、これらの表示制御機能が選択できる。また選択した機能は、その分割区域内を単にドラッグするだけで実現できる。
【００６９】
このため、表示制御機能の選択や実行に係る医師等のユーザの操作負担が大幅に低減され、迅速な操作が可能となる。また、表示制御機能は、予め所望の数や種類を選択し登録可能に構成されているため、不要な機能の存在による操作の煩雑さや、誤操作の虞が低減される。
【００７０】
なお、上述の説明では、主に医用診断装置１００から供給される医用デジタル画像を例にとって説明してきたが、本実施形態の説明からも理解できるように、一般のデジタル画像を取り扱う情報処理装置にも適用可能である。
【００７１】
また、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の実施形態の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７２】
【図１】本発明に係る情報処理装置の一実施形態におけるハードウェア構成例を主に示す図。
【図２】本発明に係る情報処理装置の一実施形態における機能実現手段の構成例を示すブロック図。
【図３】表示制御機能の初期登録時の処理例を示すフローチャート。
【図４】表示制御機能に対応付けられる表示画面の分割例を示す図。
【図５】本発明に係る情報処理装置の一実施形態における表示制御機能の実現処理の一例を示すフローチャート。
【図６】表示制御機能の実現処理を表示装置の表示例を用いて説明する図。
【符号の説明】
【００７３】
１  情報処理装置
１０  ＣＰＵ
１１  表示装置
１２  ポインティングデバイス
２１  表示制御機能登録手段
２２  領域分割手段
３０  表示制御機能有効手段
４０  有効機能表示手段
５０  表示制御機能実現手段
１００  医用診断装置
２００  電気通信回線
【図１】
2008090101.tif 000003
【図２】
2008090101.tif 000004
【図３】
2008090101.tif 000005
【図４】
2008090101.tif 000006
【図５】
2008090101.tif 000007
【図６】
2008090101.tif 000008